(57)【要約】  立体視聴のための機器（１０）は、第一ディスプレイ（１２ｌ）と虚像を生成する第一視聴レンズ組立体（２２ｌ）とを備える第一光学チャネルを有する。第一視聴レンズ組立体の少なくとも１つの光学素子は、第一の側に沿って切頭（２６ｌ）される。第二光学チャネルが、第二ディスプレイ（１２ｒ）と、虚像を生成する第二視聴レンズ組立体（２２ｒ）とを有する。第二視聴レンズ組立体の少なくとも１つの光学素子は、第二の側に沿って切頭（２６ｒ）される。第二光学チャネル内の実質的部分を折り畳むために、反射折畳み表面が、第二ディスプレイと第二視聴レンズ組立体との間に配置される。第一視聴組立体の第一の側は、第二視聴レンズ組立体の第二の側に隣接して配置される。
2008547047.tif 000002
【特許請求の範囲】
【請求項１】
立体視聴のための光学機器であって、
ａ）第一光学チャネルを含み、該第一光学チャネルは、
ｉ）第一画像を生成するための第一ディスプレイと、
ii）該第一ディスプレイの虚像を生成し且つ光を第一視聴ひとみに方向付けるための第一視聴レンズ組立体とを含み、
該第一視聴レンズ組立体の少なくとも１つの光学素子が、第一の側に沿って切頭され、
ｂ）第二光学チャネルを含み、該第二光学チャネルは、
ｉ）第二画像を生成するための第二ディスプレイと、
ii）該第二ディスプレイの虚像を生成し且つ光を第二視聴ひとみに方向付けるための第二視聴レンズ組立体とを含み、
該第二視聴レンズ組立体の少なくとも１つの光学素子が、第二の側に沿って切頭され、
iii）前記第二光学チャネル内の光の実質的な部分を折り畳むために、前記第二ディスプレイと前記第二視聴レンズ組立体との間に配置される第一反射折畳み表面を含み、
前記第一反射折畳み表面の縁部分は、前記第一光学チャネル内の光の一部を遮断し、
前記第一視聴組立体の前記第一の側は、前記第二視聴レンズ組立体の前記第二の側に隣接して配置される、
光学機器。
【請求項２】
前記第一光学チャネルは、前記第一光学チャネル内の光の実質的な部分を折り畳むために、前記第一ディスプレイと前記第一視聴レンズ組立体との間に配置される第二反射折畳み表面をさらに含む、請求項１に記載の光学機器。
【請求項３】
前記第一視聴組立体の少なくとも１つの光学素子が、６４ｍｍを超える直径を有する、請求項１に記載の光学機器。
【請求項４】
前記第一視聴レンズ組立体及び前記第二視聴レンズ組立体は、同一の筐体内に取り付けられる、請求項１に記載の光学機器。
【請求項５】
前記第一ディスプレイは、ＬＣ装置である、請求項１に記載の光学機器。
【請求項６】
前記第一ディスプレイは、ＯＬＥＤ装置である、請求項１に記載の光学機器。
【請求項７】
前記第一ディスプレイは、ＣＲＴである、請求項１に記載の光学機器。
【請求項８】
前記第一視聴ひとみは、右目視聴ひとみである、請求項１に記載の光学機器。
【請求項９】
前記第一視聴ひとみは、左目視聴ひとみである、請求項１に記載の光学機器。
【請求項１０】
前記第一視聴組立体及び前記第二視聴組立体の外径は、前記第一レンズ組立体及び前記第二レンズ組立体のそれぞれの光軸の間の分離距離よりも大きい、請求項１に記載の光学機器。
【請求項１１】
立体視聴のための光学機器であって、
ａ）第一光学チャネルを含み、該第一光学チャネルは、
ｉ）第一画像を生成するための第一ディスプレイと、
ii）該第一ディスプレイの虚像を生成し且つ光を第一視聴ひとみに方向付けるための第一視聴レンズ組立体とを含み、
該第一視聴レンズ組立体の少なくとも１つの光学素子が、第一の側に沿って切頭され、
iii）前記第一光学チャネル内の光の実質的な部分を折り畳むために、前記第一ディスプレイと前記第一視聴レンズ組立体との間に配置される第一反射折畳み表面を含み、
ｂ）第二光学チャネルを含み、該第二光学チャネルは、
ｉ）第二画像を生成するための第二ディスプレイと、
ii）該第二ディスプレイの虚像を生成し且つ光を第二視聴ひとみに方向付けるための第二視聴レンズ組立体とを含み、
該第二視聴レンズ組立体の少なくとも１つの光学素子が、第二の側に沿って切頭され、
iii）前記第二光学チャネル内の光の実質的な部分を折り畳むために、前記第二ディスプレイと前記第二視聴レンズ組立体との間に配置される第二反射折畳み表面を含み、
前記第一反射折畳み表面の縁部分は、前記第一光学チャネル内の光の一部を遮断し、
前記第一視聴組立体の前記第一の側は、前記第二視聴レンズ組立体の前記第二の側に隣接して配置される、
光学機器。
【請求項１２】
前記第一視聴組立体の少なくとも１つの光学素子が、６４ｍｍを超える直径を有する、請求項１１に記載の光学機器。
【請求項１３】
前記第一視聴レンズ組立体及び前記第二視聴レンズ組立体は、同一の筐体内に取り付けられる、請求項１１に記載の光学機器。
【請求項１４】
前記第一ディスプレイは、ＬＣ装置である、請求項１１に記載の光学機器。
【請求項１５】
前記第一ディスプレイは、ＯＬＥＤ装置である、請求項１１に記載の光学機器。
【請求項１６】
前記第一ディスプレイは、ＣＲＴである、請求項１１に記載の光学機器。
【発明の詳細な説明】
【技術分野】
【０００１】
この発明は、一般的には、立体視聴装置に関し、より具体的には、比較的大きな瞳、高い輝度、広い視野、及び、比較的長い射出ひとみ距離を有する立体視聴機器に関する。
【背景技術】
【０００２】
立体画像を表す能力を提供するディスプレイ機器に顕著な利点があることが広く認識されている。例えば、仮想現実系、医療計測、パイロット訓練、及び、情報系を含め、立体視聴機器のための数多くの用途がある。
【０００３】
立体ディスプレイのために提案されている解決策の少数の代表例は以下の通りである。
米国特許第５，７５７，５４６号（Ｌｉｐｔｏｎ  ｅｔ  ａｌ．）は、単一のディスプレイスクリーンを使用する浸漬立体視聴のために設計されるフィールドシーケンシャル系を開示している。
米国特許第３，４６３，５７０号（Ｒａｔｌｉｆｆ，  Ｊｒ．）は、写真からの画像の立体表示のためのビューアを開示している。
米国特許第５，６１５，０４６号（Ｇｉｌｃｈｒｉｓｔ）は、左目及び右目画像をもたらすスプリットディスプレイスクリーンを有する立体ビューアを開示している。
米国特許第４，９８２，２７８号及び第４，９３３，７５５号（Ｄａｈｌ  ｅｔ  ａｌ．）は、一対の液晶（ＬＣ）ディスプレイによって生成される左目及び右目画像を備えるヘッドマウント装置（ＨＭＤ）を開示している。米国特許出願公開第２００５／０００１８９９号及び２００４／０１９６５５３号（Ｂａｎｊｕ  ｅｔ  ａｌ．）は、特に医療測定のために構成されるブームマウント立体視聴機器を開示している。
【０００４】
特許文献のこの簡潔な部分的一覧が提案するように、ＣＲＴディスプレイ装置及びＬＣディスプレイ装置の両方を利用する立体ビューアの設計に対する多数の異なるアプローチがある。ＣＲＴ画像を使用するブームマウント(boom-mount)ビューアも、ＭｃＤｏｗａｌｌ  ｅｔ  ａｌ．によって、“Ｓｔｅｒｅｏｓｃｏｐｉｃ  Ｄｉｓｐｌａｙｓ  ａｎｄ  Ａｐｐｌｉｃａｔｉｏｎｓ”１９９０，ＳＰＩＥ  Ｖｏｌｕｍｅ  １２５６，ｐｐ．１３６−１４６において開示されている。ＬＣ装置を使用する改良されたアプローチが、Ｆｉｓｈｅｒ  ｅｔ  ａｌ．によって、“Ｓｔｅｒｅｏｓｃｏｐｉｃ  Ｄｉｓｐｌａｙｓ  ａｎｄ  Ｖｉｒｔｕａｌ  Ｒｅａｌｉｔｙ  Ｓｙｓｔｅｍｓ  ＩＰ”１９９５，ＳＰＩＥ  Ｖｏｌｕｍｅ  ２４０９，ｐｐ．１９６−１９９において開示されている。立体ディスプレイ能力をもたらすＨＭＤ製品は、例えば、Ｉｎｉｔｉｏｎ，Ｌｔｄ．Ｌｏｎｄｏｎ，ＵＫのような会社から商業的に入手可能である。
【０００５】
立体ディスプレイ装置のための多数の提案された解決策があるが、光学素子設計を制約する固有の幾何学的並びに人間工学的な制限がある。ビューアに関しては、眼間分離距離の範囲があり、視聴の快適性のために、特に、眼鏡をかける視聴者のために、ある量の射出ひとみ距離の必要がある。最良の画像品質を提供するために、高輝度、大きな視聴ひとみ、高解像度、及び、広い視野の要求もある。左目画像及び右目画像との間のクロストークは最小であるべきであり、周辺光からの干渉は最小であるべきである。目位置の範囲を超えて見られる得る立体画像と共に、視聴者の動作のために幾分かの許容度があるべきである。
【０００６】
立体ビューア設計の当業者に周知であるように、これらの要件はしばしば相容れず、何らかの妥協が達成されなければならない。具体的には、接眼レンズの直径を増大する両眼用の立体ビューア設計の３つの望ましい属性がある。
（i）大きな視野
（ii）大きな視聴ひとみ
（iii）拡張された長い射出ひとみ距離
【０００７】
上記の既述の望ましい属性（i）、（ii）、及び、（iii）のそれぞれは、大きな直径のレンズによって最良に達成されるが、接眼レンズ自体のサイズは、眼間分離によって制約されるので、各接眼レンズの直径は、この距離よりも大きくあり得ない。この人間工学的な制約の故に、様々な妥協がなされる。例えば、視野（i）、ひとみサイズ（ii）、及び、射出ひとみ距離（iii）は幾分減少される。もし大きな射出ひとみ距離（iii）が最も重要であるならば、設計は（i）及び（ii）の両者を犠牲にして、レンズ直径を眼間分離よりも小さく維持するだけのために、より小さな視野及びより小さなひとみをもたらす。代替的に、例えば、ＨＭＤを用いて、大きな視聴ひとみ（ii）を伴わずに最大の視野（i）を得るために、射出ひとみ距離（iii）が犠牲にされる。底型視聴機器のために、属性（i）、（ii）、及び、（iii）の間のこれらの妥協を軽減するために必要とされるより大きなレンズは、眼間分離の故に共に適合され得ない。
【０００８】
例えば、殆どのＨＭＤは、最大で約１２〜１５ｍｍ程度の視聴ひとみを提供するために制限され、普通は２ｍｍ未満の射出ひとみ距離を伴う。他の種類の両眼及びブームマウント系も、より大きなひとみサイズを提供することが妨げられる。視聴者の目を正しいスポットに固定するために、典型的には２〜３ミリ範囲の小さなひとみサイズをもたらす両眼系は、典型的には、視聴者の頭が位置決め機械構造に対して位置付けられることを要求する。両眼系は眼間距離のための調節も提供する。
【０００９】
視野を最大限化する試みから、立体ビューア設計のための従来的なアプローチを用いて、口径食効果が得られる。従来的な立体視聴系を用いた口径食効果は、立体視野を減少し、より広い単眼視野を有する。例えば、各目は６０度の視野を見得るが、４０度のみが各目の間でオーバーラップされる。
【発明の開示】
【発明が解決しようとする課題】
【００１０】
よって、ブームマウント及び他の可搬式立体視聴系のために多数の解決策が提案されているが、特に、強化された画像輝度、より広い視野、より高い解像度、より大きな視聴ひとみサイズ、及び、より大きな射出ひとみ距離に関して、かなりの改良の余地があることが認識されている。
【課題を解決するための手段】
【００１１】
立体視聴のための光学機器を提供することが本発明の目的であって、立体視聴のための光学機器は、
ａ）第一光学チャネルを含み、該第一光学チャネルは、
ｉ）第一画像を生成するための第一ディスプレイと、
ii）第一ディスプレイの虚像を生成し且つ光を第一視聴ひとみに方向付けるための第一視聴レンズ組立体とを含み、
第一視聴レンズ組立体の少なくとも１つの光学素子が、第一の側に沿って切頭され、
ｂ）第二光学チャネルを含み、該第二光学チャネルは、
ｉ）第二画像を生成するための第二ディスプレイと、
ii）第二ディスプレイの虚像を生成し且つ光を第二視聴ひとみに方向付けるための第二視聴レンズ組立体とを含み、
第二視聴レンズ組立体の少なくとも１つの光学素子が、第二の側に沿って切頭され、
iii）第二光学チャネル内の光の実質的な部分を折り畳むために、第二ディスプレイと第二視聴レンズ組立体との間に配置される第一反射折畳み表面を含み、
第一反射折畳み表面の縁部分は、第一光学チャネル内の光の一部を遮断し、
第一視聴組立体の第一の側は、第二視聴レンズ組立体の第二の側に隣接して配置される。
【００１２】
視聴者の眼間距離を超える直径を有するレンズ素子の使用を採用することが本発明の特徴である。
【００１３】
立体視聴機器において大きな視聴ひとみ、大きな視野、及び、大きな射出ひとみ距離をもたらすことが本発明の利点である。
【００１４】
立体ディスプレイを提供するためにシャッタ機器を必要としないことが本発明のさらなる利点である。
【００１５】
本発明のこれらの並びに他の目的、特徴、及び、利点は、本発明の例示的な実施態様が図示され且つ記載される図面と共に考慮されるとき、以下の詳細な記載を読んだ後に当業者に明らかになるであろう。
【００１６】
本明細書は、本発明の主題を具体的に指摘し且つ明確に請求する請求項で終わるが、本発明は添付の図面と共に考慮されるときに以下の記載からより良好に理解されると考えられる。
【発明を実施するための最良の形態】
【００１７】
本記載は、具体的には、本発明に従った機器の一部を形成する或いは本発明に従った機器と直接的に協働する素子に向けられている。特に図示されず或いは記載されない素子は当業者に周知な様々な形態を取り得ることが理解されよう。
【００１８】
図１を参照すると、本発明の１つの実施態様における立体視聴機器１０が示されている。典型的にはフラットパネル型のディスプレイ１２ｌ及び１２ｒが、左目画像及び右目画像源をもたらす。折畳み鏡１４又は他の種類の反射表面が、ディスプレイ１２ｒからの右目画像のための光路を方向変換する。視聴光学系２０が、後に記載される方法で共に適合される左右両方の視聴レンズ組立体２２ｌ及び２２ｒを有する。視聴光学系２０は、中心が眼間距離Ｄによって分離された左右の視聴ひとみ２４ｌ及び２４ｒを提供する。
【００１９】
図２を参照すると、左視聴ひとみ２４ｌを形成するための光路が示されている。この実施態様において、視聴レンズ組立体２２ｌは、３つの構成部品、即ち、視聴ひとみ２４ｌでディスプレイ１２ｌの虚像をもたらすためのレンズ素子Ｌ１、Ｌ２、及び、Ｌ３を有する。右視聴ひとみ２４ｒを形成するための光路は類似しており、視聴レンズ組立体２２ｒとディスプレイ１２ｒとの間に折畳み鏡１４を備える。レンズＬ１及びＬ２は、図２に示されるように、接合ダブレットを形成し得る。他の実施態様では、異なる構成のレンズ素子Ｌ１、Ｌ２、及び、Ｌ３、並びに、異なる数のレンズ素子が使用され得る。
【００２０】
図１の構成では、左右のディスプレイ１２ｌ及び１２ｒが、視聴ひとみ２４ｌ及び２４ｒのサイズを超えることが観察され得る。このサイズ関係は要求されないが（ディスプレイ１２ｌ及び１２ｒはより小さくあり得る）、ディスプレイ１２ｌ及び１２ｒが視聴ひとみ２４ｌ及び２４ｒよりも大きいときには、輝度及び解像度に顕著な利点があり得る。
【００２１】
ディスプレイ１２ｌ及び１２ｒは、多数のディスプレイ種類のいずれでもあり得る。重量及びサイズに関して特に有利であるのは、薄膜トランジスタ（ＴＦＴ）型のより大規模なＬＣディスプレイを含むＬＣディスプレイのような、フラットパネルディスプレイである。有機ＬＥＤ（ＯＬＥＤ）ディスプレイは、適切であり得る他の種類のフラットパネルディスプレイである。左目画像及び右目画像をもたらすために、ＣＲＴ又は他の種類のディスプレイが代替的に使用され得る。
【００２２】
少なくとも１つの光学チャネルが本発明の機器内に折り畳まれることも観察され得る。図１の構成では、右光学チャネルが折り畳まれている。選択的に、左光学チャネル、又は、左光学チャネル及び右光学チャネルの双方は、折畳み鏡を含み得る。両方のチャネルを折り畳むことは、両方のチャネル内の電子機器を単純化する利点を有する。折り畳まれた光路内に位置するディスプレイは、視聴者によって最終的に観察されるべきものの鏡映画像を表示する。用途に依存して、立体視聴光学系２０の深さ寸法及びフォームファクタに関する利点もあり得る。
【００２３】
視聴光学系２０
図１に示されるように、視聴光学系２０は、左右両方の視聴ひとみ２４ｌ及び２４ｒを形成するための光学素子の構成を有する。大きな視野及び大きな射出ひとみ距離と共に、大きな視聴ひとみ２４ｌ予備２４ｒをもたらすために、左右の視聴レンズ組立体２２ｌ及び２２ｒレンズ素子Ｌ１、Ｌ２、及び、Ｌ３は比較的大きい。１つの実施態様において、これらのレンズ素子は、直径３インチ（７６ｍｍ）よりも大きい。しかしながら、これは典型的には大人で約６０〜７０ｍｍの範囲内にある眼間分離距離を超える。故に、この大きいサイズのレンズを使用するために、左右の視聴レンズ組立体２２ｌ及び２２ｒの１つ又はそれよりも多くのレンズ素子Ｌ１、Ｌ２、及び、Ｌ３は、図３、４、５Ａ、及び、５Ｂに示されるように、１つの縁に沿って切頭される。左視聴レンズ組立体２２ｌのために、切頭部分２６ｌが孔の右側に向けられる。右視聴レンズ組立体２２ｒのために、切頭部分２６ｒが孔の左側に向けられる。レンズ切頭の結果として、視聴レンズ組立体２２ｌ及び２２ｒは、単一の筐体内に共に組み入れられ、約６４ｍｍの平均眼間間隔で適切に離間される左光軸及び右光軸を維持し得る。
【００２４】
図６、７、及び、８を参照すると、１つの実施態様における視聴光学系２０のレンズマウント３０の平面図、斜視図、及び、展開図がそれぞれ示されている。レンズマウント３０は、左右両方の視聴レンズ組立体２２ｌ及び２２ｒのための筐体を提供する。この実施態様において、左右の視聴レンズ組立体２２ｌ及び２２ｒのレンズＬ１及びＬ２（図２の実施態様では接合ダブレット）は、平均眼間距離Ｄを超える直径を有し、図３、４、５Ａ、及び、５Ｂを参照して記載されたように、共に適合するために切頭されている。
【００２５】
図６は、左右の視聴レンズ組立体２２ｌ及び２２ｒのそれぞれの光軸の間の眼間距離Ｄを示している。図８の展開図は、この実施態様における組立体の詳細を示している。レンズＬ３又は他のレンズは、実施態様に依存して、切頭されても良いし切頭されなくても良い。レンズＬ１／Ｌ２及び後方レンズＬ３の接合組立体も、この展開図に示されている。筐体３２が、左右の視聴レンズ組立体２２ｌ及び２２ｒを１つのユニットとしてパッケージ化している。選択的な保持板３４も示されている。左右の視聴レンズ組立体２２ｌ及び２２ｒを単一の組立体にパッケージ化するために、筐体３２及び関連構成部品の如何なる数の他の可能な構成も利用され得ることが理解されよう。
【００２６】
比較的大きなレンズ素子を使用することは、従来的なブームマウント及びＨＭＤ立体視聴機器に比べ、より大きな左右の視聴ひとみ２４ｌ及び２４ｒ、より大きな視野、並びに、増大された射出ひとみ距離の組み合わせを可能にする。図３及び４は、左右の光学チャネルのそれぞれのための光束図を示している。図３において、それぞれの光束は、左ディスプレイ１２ｌで生成される画像のために示されている。図３に示される鏡１４の位置並びにレンズ素子の切頭の故に、図３中に点線円Ｖｌで示されるように、少量の画像が効果的に口径食される。同様に、図４は、右ディスプレイ１２ｒで生成される画像のための代表的な光束を示している。ディスプレイ１２ｒの一方の側からの光のごく一部が、点線円Ｖｒで示されるように、鏡１４から反射されない。これらの口径食効果は、視野内のこれらの位置のためのひとみサイズの幾らかの損失を引き起こす。しかしながら、これらの口径食効果が左右の視聴ひとみ２４ｌ及び２４ｒのために立体視野の同一部分にないことを付記することは重要である。このような方法で口径食を用いるならば、左右の視聴ひとみ２４ｌ及び２４ｒの殆どに亘って完全な立体画像が可能である。口径食が起こる場合には、画像は依然として左目又は右目のいずれかに可視的であるが、視野のその部分は立体的ではない。
【００２７】
この構成は、視聴ひとみ２４ｌ及び２４ｒの有る部分が実際には立体的でない場合でさえも、より大きな有効視聴ひとみ２４ｌ及び２４ｒを達成する。立体的である視野の相対比率は、視聴者の目の位置に依存する。もし視聴者が左に移動し過ぎているか右に移動し過ぎているならば、完全な視野は可視的であるが、画像の比例的により小さい部分が立体的である。実際には、視聴ひとみ２４ｌ及び２４ｒのサイズ及び形状は視野と共に変化する。換言するば、視野全体は、一部のひとみ地域Ａに亘って（即ち、両眼によって）立体で見られ得るし、同一の視野は、地域Ａの外側の地域に亘って（即ち、１つの眼だけによって）モノラルに見られるよう継続され得る。これは図５Ａ及び５Ｂに例証されている。もし視聴者の目が切頭された円形ひとみ２４ｌ及び２４ｒの内部のどこかに配置されるならば、全体画像視野が可視的である。もし視聴者の目がひとみの切頭部分（左目のためには２６ｌ、右目のためには２６ｒ）に入るならば、視野の一部が口径食される。もし、例えば、視聴者の左目が切頭部分２６ｌに入るならば、視聴者の右目は、右視聴ひとみの非切頭部分内になければならない。この設計を使用することで、視野は、如何なる所与の時間に１つの目のためだけに、如何なる所与の頭部分のために、口径食される。
【００２８】
本発明の機器は、（図３中の寸法Ｅとして示される）視聴者のための快適な量の射出ひとみ距離、大きなひとみサイズ、並びに、従来的なブームマウント立体ディスプレイによって提供されるよりも大きな視野を備える立体ディスプレイを提供する。ブームマウントビューアの１つの実施態様では、例えば、水平から＋／−３６度の視野並びに３０ｍｍの視聴ひとみを伴う５０ｍｍ範囲の射出ひとみ距離が得られ得る。
【００２９】
本発明の機器は、ブームマウント立体視聴のために極めて高いエタンデュ(etendue)をもたらし得る。ディスプレイ１２ｌ及び１２ｒの寸法は眼間分離距離Ｄよりも大きくなり得るので、これは特に真実である。
【００３０】
左右の視聴レンズ組立体２２ｌ及び２２ｒ内の光学素子の配置にはかなりの柔軟性がある。図１を参照して記載されるようなこれらの光学素子の切頭は、適切な眼間距離Ｄ（ひとみ距離と等しいと理解される）を可能にする。図１、３、及び、４に示される構成は、右光学チャネル内で鏡１４を使用するが、類似の構成は、当業者に直ちに明らかであるような左光学チャネル内の光路を折り畳むための鏡１４の代替的な使用を許容する。前記されたように、他の実施態様では、両方の光路を折り畳むことも可能である。
【００３１】
よって、提供されているものは、比較的大きなひとみ、比較的大きな視野、比較的長い射出ひとみ距離、並びに、高輝度を伴う立体視聴のための機器及び方法である。
【図面の簡単な説明】
【００３２】
【図１】本発明に従った立体視聴聞きを示す斜視図である。
【図２】左視聴ひとみを形成するための光路を示す光束図である。
【図３】左視聴ひとみがどのように形成されるかを示す上面図である。
【図４】右視聴ひとみがどのように形成されるかを示す上面図である。
【図５Ａ】視聴ひとみ２４ｌを示す平面図である。
【図５Ｂ】視聴ひとみ２４ｒを示す平面図である。
【図６】１つの実施態様に従ったレンズマウントを示す平面図である。
【図７】１つの実施態様に従ったレンズマウントを示す斜視図である。
【図８】１つの実施態様に従ったレンズマウントを示す展開図である。
【符号の説明】
【００３３】
１０    立体視聴機器(stereoscopic viewing apparatus)
１２ｌ  ディスプレイ(display)
１２ｒ  ディスプレイ(display)
１４    折畳み鏡(folding mirror)
２０    視聴光学系(viewing optical system)
２２ｌ  左視聴レンズ組立体(left viewing lens assembly)
２２ｒ  右視聴レンズ組立体(right viewing lens assembly)
２４ｌ  左視聴ひとみ(left viewing pupil)
２４ｒ  右視聴ひとみ(right viewing pupil)
２６ｌ  左切頭部分(left truncated portion)
２６ｒ  右切頭部分(right truncated portion)
３０    レンズマウント(lens mount)
３２    筐体(housing)
３４    保持板(retainer)
Ｄ      眼間距離(interocular distance)
Ｌ１    レンズ素子(lens element)
Ｌ２    レンズ素子(lens element)
Ｌ３    レンズ素子(lens element)
【図１】
2008547047.tif 000003
【図２】
2008547047.tif 000004
【図３】
2008547047.tif 000005
【図４】
2008547047.tif 000006
【図５Ａ】
2008547047.tif 000007
【図５Ｂ】
2008547047.tif 000008
【図６】
2008547047.tif 000009
【図７】
2008547047.tif 000010
【図８】
2008547047.tif 000011
【国際調査報告】
2008547047.tif 000012
2008547047.tif 000013
2008547047.tif 000014